(57)【要約】  コンバータシステムは、少なくとも３つの電圧レベルを切り替えることについて、および、２つの電圧レベルを切り替えることについて、開示される。方法は、少なくとも３つの電圧レベルを切り替えるためのコンバータシステムのオペレーションについて、および、２つの電圧レベルを切り替えるためのコンバータシステムのオペレーションについても、開示される。【選択図】  図１
2013533728.tif 000002
【特許請求の範囲】
【請求項１】
コンバータユニット（１）を備える少なくとも３つの電圧レベルを切り替えるコンバータシステムであって、前記コンバータユニット（１）のｄ．ｃ．側はｄ．ｃ．回路（２）へ接続され、前記ｄ．ｃ．回路（２）には電圧ゼロ点（ＮＰ）が設けられ、前記コンバータユニット（１）のａ．ｃ．側は短絡回路（３）へ接続され、前記短絡回路（３）には複数のサイリスタと少なくとも２つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記少なくとも２つの短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記少なくとも２つの短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の前記電圧ゼロ点（ＮＰ）へ切り替え、前記閉信号は印加されなくなり、前記電圧制限装置（４）は設定可能な期間にわたって前記少なくとも２つの短絡レジスタ（ＲCRB）を前記ｄ．ｃ．回路（２）へ接続し、その後、前記コンバータユニット（１）は前記ｄ．ｃ．回路（２）の前記電圧ゼロ点（ＮＰ）から前記コンバータユニット（１）の前記ａ．ｃ．側を再び絶縁することを特徴とする、
コンバータシステム。
【請求項２】
コンバータユニット（１）を備える２つの電圧レベルを切り替えるコンバータシステムであって、前記コンバータユニット（１）のｄ．ｃ．側はｄ．ｃ．回路（２）へ接続され、前記コンバータユニット（１）のａ．ｃ．側は短絡回路（３）へ接続され、前記短絡回路（３）には複数のサイリスタと１つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の負または正電圧点へ切り替え、前記閉信号は印加されなくなり、前記電圧制限装置（４）は設定可能な期間にわたって前記短絡レジスタ（ＲCRB）を前記ｄ．ｃ．回路（２）へ接続し、その後、前記コンバータユニット（１）は前記ｄ．ｃ．回路（２）の前記負または正電圧点から前記コンバータユニット（１）の前記ａ．ｃ．側を再び絶縁することを特徴とする、
コンバータシステム。
【請求項３】
３つの電圧レベルを切り替えるコンバータシステムの場合、前記電圧制限装置（４）には制限レジスタ（ＲVLU）と制御可能パワースイッチ（Ｓ）とを各々備える２つの直列回路が設けられ、前記短絡回路（３）には２つの短絡レジスタ（ＲCRB）が設けられ、前記制限レジスタ（ＲVLU）と前記制御可能パワースイッチ（Ｓ）とを備える各直列回路は前記短絡レジスタ（ＲCRB）のいずれか一方へそれぞれ接続されることを特徴とする請求項１に記載のコンバータシステム。
【請求項４】
前記短絡レジスタ（ＲCRB）は相互接続されることを特徴とする請求項３に記載のコンバータシステム。
【請求項５】
２つの電圧レベルを切り替えるコンバータシステムの場合、前記電圧制限装置（４）には制限レジスタ（ＲVLU）と制御可能パワースイッチ（Ｓ）とを備える単一の直列回路が設けられ、前記制限レジスタ（ＲVLU）と前記制御可能パワースイッチ（Ｓ）とを備える前記直列回路は前記短絡レジスタ（ＲCRB）へ接続されることを特徴とする請求項２に記載のコンバータシステム。
【請求項６】
少なくとも３つの電圧レベルを切り替えるコンバータシステムを操作する方法であって、前記コンバータシステムにはコンバータユニット（１）が設けられ、前記コンバータユニット（１）のｄ．ｃ．側はｄ．ｃ．回路（２）へ接続され、前記ｄ．ｃ．回路（２）には電圧ゼロ点（ＮＰ）が設けられ、前記コンバータユニット（１）のａ．ｃ．側は短絡回路（３）へ接続され、前記短絡回路（３）には複数のサイリスタと少なくとも２つの短絡レジスタ（ＲCRB）が設けられ、
前記コンバータユニット（１）によって搬送される電流は閾値に関して監視され、この閾値が超過されると閉信号の印加によって前記サイリスタが作動され、前記コンバータユニット（１）の前記ａ．ｃ．側は前記少なくとも２つの短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記少なくとも２つの短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の前記電圧ゼロ点（ＮＰ）へ切り替え、前記閉信号は印加されなくなり、
前記電圧制限装置（４）は設定可能な期間にわたって前記少なくとも２つの短絡レジスタ（ＲCRB）を前記ｄ．ｃ．回路（２）へ接続し、
その後、前記コンバータユニット（１）は前記ｄ．ｃ．回路（２）の前記電圧ゼロ点（ＮＰ）から前記コンバータユニット（１）の前記ａ．ｃ．側を再び絶縁することを特徴とする、
方法。
【請求項７】
２つの電圧レベルを切り替えるコンバータシステムのオペレーションのための方法であって、前記コンバータシステムにはコンバータユニット（１）が設けられ、前記コンバータユニット（１）のｄ．ｃ．側はｄ．ｃ．回路（２）へ接続され、前記コンバータユニット（１）のａ．ｃ．側は短絡回路（３）へ接続され、前記短絡回路（３）には複数のサイリスタと１つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記短絡レジスタ（ＲCRB）へ接続され、
前記ｄ．ｃ．回路（２）において過電圧を制限する電圧制限装置（４）が前記ｄ．ｃ．回路（２）へ接続され、前記電圧制限装置（４）は前記短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の負または正電圧点へ切り替え、前記閉信号は印加されなくなり、
前記電圧制限装置（４）は設定可能な期間にわたって前記短絡レジスタ（ＲCRB）を前記ｄ．ｃ．回路（２）へ接続し、
その後、前記コンバータユニット（１）は前記ｄ．ｃ．回路（２）の前記負または正電圧点から前記コンバータユニット（１）の前記ａ．ｃ．側を再び絶縁することを特徴とする、
方法。
【請求項８】
３つの電圧レベルを切り替えるコンバータシステムの場合、前記電圧制限装置（４）には制限レジスタ（ＲVLU）と制御可能パワースイッチ（Ｓ）とを各々備える２つの直列回路が設けられ、前記短絡回路（３）には２つの短絡レジスタ（ＲCRB）が設けられ、前記制限レジスタ（ＲVLU）と前記制御可能パワースイッチ（Ｓ）とを備える各直列回路は前記短絡レジスタ（ＲCRB）のいずれか一方へそれぞれ接続され、前記短絡レジスタ（ＲCRB）は相互接続され、前記２つの短絡レジスタ（ＲCRB）を前記ｄ．ｃ．回路（２）に接続する前記電圧制限装置（４）上の前記制御可能パワースイッチ（Ｓ）は前記設定可能な期間にわたって閉じられることを特徴とする請求項６に記載の方法。
【請求項９】
前記電圧制限装置（４）には制限レジスタ（ＲVLU）と制御可能パワースイッチ（Ｓ）とを備える直列回路が設けられ、前記制限レジスタ（ＲVLU）と前記制御可能パワースイッチ（Ｓ）とを備える前記直列は前記短絡レジスタ（ＲCRB）へ接続され、前記短絡レジスタ（ＲCRB）を前記ｄ．ｃ．回路（２）へ接続する前記電圧制限装置（４）上の前記制御可能パワースイッチ（Ｓ）は前記設定可能な期間にわたって閉じられることを特徴とする請求項７に記載の方法。
【発明の詳細な説明】
【技術分野】
【０００１】
本発明はパワーエレクトロニクス分野に関する。それは独立特許請求項の前文に係るコンバータシステムおよびそのようなコンバータシステムのオペレーションのための方法を含む。
【先行技術】
【０００２】
今日、コンバータシステムは様々な用途に使用される。コンバータシステムはコンバータユニットを典型的に備え、これのｄ．ｃ．側はｄ．ｃ．回路へ接続される。コンバータユニットのａ．ｃ．側は、一般に、回転電気機械又は変圧器等のａ．ｃ．電力系統および／または電気負荷へ接続されるよう構成され、それによって、任意の電気負荷の接続が想定可能である。関係する用途に応じて、ａ．ｃ．側の短絡回路の接続も慣例となっている。短絡回路を備える上述したタイプのコンバータシステムは、例えばＵＳ  ２００５／０２８１０６５  Ａ１およびＵＳ  ２００７／０２９１４２６  Ａ１に開示されている。コンバータユニットの通電容量が超過される場合は短絡回路内のスイッチが閉じ、コンバータユニットのａ．ｃ．側は短絡回路内の短絡レジスタによって短絡される。高通電容量と低コンポーネントコストに対する要求の同時組み合わせを考慮すると、例えばＵＳ  ２００７／０２９１４２６  Ａ１に開示されているように、短絡回路内でのスイッチとしてのサイリスタの使用は合理的な選択である。しかしながら、サイリスタは能動的にトリップまたはターンオフできない。サイリスタのターンオフは、搬送される電流のゼロ交差でのみ可能であるため、追加の高価な「ターンオフ回路」の使用が必要となる。
【０００３】
従来の回転周波数コンバータにおける用途に加えて、二重給電形非同期機の形式の電気負荷は、可変速度揚水発電所でますます使用されている。多くの場所で、発電および送電機能の「分離」にともない電力供給システムへの接続条件を定めるグリッドコードが導入されている。場合によっては、システム障害に応じて、特に電圧ディップに応じて、新しくより厳しい条件が満たされなければならない。過渡電圧ディップのときに、接続された発電所と周波数変換設備とは電力供給システムへ接続された状態を保ち、場合によっては能動的電圧安定化機能を提供することが意図されている。これは関係グリッドコードの規定に従い無効電流のコントロールドインフィード（controlled in-feed）によって達成される。電圧ディップが発生した場合、二重給電形非同期機の回転子巻線へ交流電流を供給するコンバータユニットは、平常運用電流を超過する電流に一時的にさらされる。コンバータユニットを過負荷から保護すると同時に、回転子電圧を関係する機械の回転子の許容レベルまで制限するため、前記の短絡回路には複数のサイリスタが設けられる。この種の短絡回路は、障害が発生した場合に回転子巻線を短絡させることによってコンバータユニットとこれの関連機械に信頼性のある保護を提供する。しかしながら、この種のサイリスタを備える短絡回路が使用される場合は、電流が許容レベルまで低減された時点で直ちに平常運転の即時回復（コンバータユニットにより調整）を短期間に達成することはできない。
【０００４】
「対称電圧ディップでの二重給電形誘導発電機を備える風力タービンのライドスルー」(Ride through of Wind Turbines with doubly fed Induction Generator under symmetrical Voltage Dips), IEEE Transactions on Industrial Electronics, 2009、ＷＯ  ２００４／０９１０８５  Ａ１、ＷＯ  ０３／０６５５６７  Ａ１、ＥＰ  ０９７０８４０  Ａ２、およびＥＰ  １７８０８５６  Ａ２では、先行技術のさらなる一般的例が開示されている。
【発明の説明】
【０００５】
本発明の目的は、先行技術のさらなる発展に相当する、サイリスタ制御短絡回路を備えるコンバータシステムを開示することであり、短絡回路でサイリスタをターンオフするため非常に直接的な機構が提供され、前記システムは非常に簡素な構造である。本発明のさらなる目的は、非常に直接的なコンバータシステムのオペレーションのための、および短絡回路における完全かつ迅速かつ信頼性のあるサイリスタのターンオフのための、方法を開示することである。
【０００６】
これらの目的は、請求項１および２と請求項６および７の特徴によってそれぞれ満たされる。従属請求項では本発明の有利なさらなる進展が開示される。
【０００７】
少なくとも３つの電圧レベルを切り替えるコンバータシステムは、コンバータユニットを備え、コンバータユニットのｄ．ｃ．側は、ｄ．ｃ．回路へ接続され、前記ｄ．ｃ．回路には電圧ゼロ点が設けられ、コンバータユニットのａ．ｃ．側は短絡回路へ接続され、短絡回路には複数のサイリスタと少なくとも２つの短絡レジスタが設けられる。コンバータユニットによって搬送される電流は閾値に関して監視され、この閾値が超過されると閉信号の印加によってサイリスタが作動され、コンバータユニットのａ．ｃ．側は少なくとも２つの短絡レジスタへ接続される。本発明にしたがって、ｄ．ｃ．回路において任意の過電圧を制限する電圧制限装置が前記ｄ．ｃ．回路へ接続され、前記電圧制限装置は少なくとも２つの短絡レジスタへ接続される。閾値が超過されない場合、コンバータユニットは前記コンバータユニットのａ．ｃ．側をｄ．ｃ．回路の電圧ゼロ点へ切り替え、閉信号は印加されない。電圧制限装置は設定可能な期間にわたって少なくとも２つの短絡レジスタをｄ．ｃ．回路へ接続し、その後、コンバータユニットはｄ．ｃ．回路の電圧ゼロ点から前記コンバータユニットのａ．ｃ．側を再び絶縁する。
【０００８】
２つの電圧レベルを切り替えるコンバータシステムにおいて、前記コンバータシステムは、また、コンバータユニットを備え、コンバータユニットのｄ．ｃ．側はｄ．ｃ．回路へ接続され、コンバータユニットのａ．ｃ．側は短絡回路へ接続され、短絡回路には複数のサイリスタと１つの短絡レジスタが設けられる。コンバータユニットによって搬送される電流は閾値に関して監視され、この閾値が超過されると、閉信号の印加によってサイリスタが作動され、コンバータユニットのａ．ｃ．側は短絡レジスタへ接続される。ｄ．ｃ．回路において任意の過電圧を制限する電圧制限装置が前記ｄ．ｃ．回路へ接続され、前記電圧制限装置は短絡レジスタへ接続される。閾値が超過されない場合、コンバータユニットは前記コンバータユニットのａ．ｃ．側をｄ．ｃ．回路の負または正電圧点へ切り替え、閉信号は印加されない。電圧制限装置は設定可能な期間にわたって短絡レジスタを前記ｄ．ｃ．回路へ接続し、その後、コンバータユニットはｄ．ｃ．回路の負または正電圧点から前記コンバータユニットのａ．ｃ．側を再び絶縁する。
【０００９】
少なくとも３つの電圧レベルを切り替える、または２つの電圧レベルを切り替える、コンバータシステムは、非常に簡素で相応じて堅牢な構造である。例えば過電流に応じて短絡回路内のサイリスタがオンになる場合、電圧制限装置は前記サイリスタの完全かつ迅速かつ信頼性のあるターンオフのための有利な手段を提供する。
【００１０】
少なくとも３つの電圧レベルを切り替えるコンバータシステムのオペレーションのための本発明による方法において、コンバータシステム内のコンバータユニットのｄ．ｃ．側はｄ．ｃ．回路へ接続され、ｄ．ｃ．回路には電圧ゼロ点が設けられ、前記短絡回路はコンバータユニットのａ．ｃ．側へ接続され、前記短絡回路には複数のサイリスタに加えて少なくとも２つの短絡レジスタが設けられる。方法によると、コンバータユニットによって搬送される電流は閾値に関して監視され、この閾値が超過されると、次に、閉信号の印加によりサイリスタが作動され、コンバータユニットのａ．ｃ．側は少なくとも２つの短絡レジスタへ接続される。少なくとも２つの短絡レジスタは、次に、電流が閾値を下回るまで電流のテイクアップ（take-up）を仮定する。本発明によると、ｄ．ｃ．回路において任意の過電圧を制限する前記電圧制限装置は前記ｄ．ｃ．回路と少なくとも２つの短絡レジスタとに接続され、閾値が超過されなくなると、コンバータユニットは前記コンバータユニットのａ．ｃ．側をｄ．ｃ．回路の電圧ゼロ点へ切り替え、閉信号は印加されず、電流は閾値を現在下回っており、コンバータユニットへ有利に切り替えられる。さらに、電圧制限装置は、次に、設定可能な期間にわたって少なくとも２つの短絡レジスタをｄ．ｃ．回路へ接続する。したがって、少なくとも２つの短絡レジスタでは逆起電力が生成され、これがサイリスタの直接的かつ迅速かつ安全なターンオフを達成する。したがって、電圧制限装置はサイリスタスイッチオフ装置として有利に機能する。その後、コンバータユニットはｄ．ｃ．回路の電圧ゼロ点からコンバータユニットのａ．ｃ．側を再び絶縁し、コンバータシステムが平常オペレーションを再開できるようにする。
【００１１】
２つの電圧レベルを切り替えるコンバータシステムにおいて、ｄ．ｃ．回路はｄ．ｃ．側に接続され、短絡回路はａ．ｃ．側に接続され、前記短絡回路には複数のサイリスタと１つの短絡レジスタが設けられる。開示される方法によると、２つの電圧レベルを切り替えるこの種のコンバータシステムでも、コンバータユニットによって搬送される電流は閾値に関して監視され、この閾値が超過されると閉信号の印加によりサイリスタが作動され、コンバータユニットのａ．ｃ．側は短絡レジスタへ接続される。短絡レジスタは、次に、閾値が超過されなくなるまで任意の過電流のテイクアップ（take-up）を仮定する。本発明によると、ｄ．ｃ．回路において任意の過電圧を制限する前記電圧制限装置は前記ｄ．ｃ．回路と短絡レジスタとに接続され、閾値が超過されなくなると、コンバータユニットは前記コンバータユニットのａ．ｃ．側をｄ．ｃ．回路の負または正電圧点へ切り替え、閉信号は印加されなくなり、電流をコンバータユニットへ有利に切り替えることが可能となる。さらに、電圧制限装置は設定可能な期間にわたって短絡レジスタをｄ．ｃ．回路へ接続する。したがって、短絡レジスタでは逆起電力が生成され、これがサイリスタの直接的かつ迅速かつ安全なターンオフを有利に達成する。したがって、このコンバータ回路機構において、電圧制限装置はサイリスタスイッチオフ装置として有利に機能する。その後、コンバータユニットはｄ．ｃ．回路の負または正電圧点からコンバータユニットのａ．ｃ．側を再び絶縁する。
【００１２】
全体的に、本発明による方法は、短絡回路において極めて完全かつ迅速でとりわけ安全なサイリスタのターンオフを可能にし、非常に直接的なコンバータシステムのオペレーションを可能にする。
【００１３】
本発明の目的、利点、および特徴は、この後に続く本発明の実施形態の好適な形式の詳細な説明と添付の図面によって明確化される。
【図面の簡単な説明】
【００１４】
【図１】図１は、本発明によるコンバータシステムの第１の実施形態を示す。
【図２】図２は、コンバータシステムのオペレーションのための本発明による方法に従いオペレーティング状態にある図１に示すコンバータシステムの第１の実施形態を示す。
【図３】図３は、コンバータシステムのオペレーションのための本発明による方法に従いさらなるオペレーティング状態にある図１に示すコンバータシステムの第１の実施形態を示す。
【図４】図４は、本発明によるコンバータシステムの短絡回路内にあるサイリスタ回路のある実施形態を示す。
【図５】図５は、本発明によるコンバータシステムの第２の実施形態を示す。
【００１５】
図に使われている参照記号とこれの意味は参照記号の一覧に要約されている。基本的に、図において同等の構成要素は同じ参照記号によって標示されている。説明される実施形態の形式は本発明の主題の例として提示されており、制限を目的とするものとみなされるべきものではない。
【発明の実施形態】
【００１６】
図１は、具体的には３つの電圧レベルを切り替える本発明によるコンバータシステムの第１の実施形態を示す。通常は少なくとも３つの電圧レベルを切り替える本発明によるコンバータシステムはコンバータユニット１を備え、コンバータユニット１のｄ．ｃ．側はｄ．ｃ．回路２へ接続され、前記ｄ．ｃ．回路２には電圧ゼロ点ＮＰが設けられ、コンバータユニット１のａ．ｃ．側は短絡回路３へ接続される。短絡回路３には複数のサイリスタと少なくとも２つの短絡レジスタＲCRBが設けられる。図４は短絡回路３内のサイリスタ回路の例示的実施形態を示す。本発明によると、ｄ．ｃ．回路２で過電圧を制限する電圧制限装置４が前記ｄ．ｃ．回路２へ接続され、前記電圧制限装置４は少なくとも２つの短絡レジスタＲCRBへ接続される。典型的には、電圧制限装置４の機能はｄ．ｃ．回路２で過電圧を制限および低減することである。この目的を達成するため、制御可能パワースイッチＳだけが閉じられ、電流は制限レジスタＲVLUと短絡レジスタＲCRBに流れ、これによりｄ．ｃ．回路２で過電圧を制限および低減する。例えば過電流に応じて短絡回路３内のサイリスタが作動される場合、電圧制限装置４は、また、前記サイリスタの完全かつ迅速かつ信頼性のあるターンオフのための有利な手段を提供する。図１に示す本発明によるコンバータシステムのオペレーションのための本発明による関連性のある方法は、電圧制限装置４の関連する配置と併せて詳しく後述する。
【００１７】
図１に示す３つの電圧レベルを切り替えるコンバータシステムにおいて、電圧制限装置４には望ましくは制限レジスタＲVLUと制御可能パワースイッチＳとを各々備える２つの直列回路が設けられる。制御可能機械スイッチまたは制御可能半導体パワースイッチは制御可能パワースイッチＳとして考えられるオプションであり、制御可能半導体パワースイッチは、例えばゲートターンオフサイリスタ（ＧＴＯ）として、一体化ゲート転流サイリスタ（ＩＧＣＴ）として、パワーＭＯＳＦＥＴとして、または絶縁ゲートバイポーラトランジスタ（ＩＧＢＴ）として、構成されてよい。図１に示すように、ｄ．ｃ．回路２は２つの直列接続された容量エネルギー蓄積装置を備え、２つの容量エネルギー蓄積装置の相互接続点は電圧ゼロ点ＮＰを形成する。図１に示すように、短絡回路３には２つの短絡レジスタＲCRBが設けられ、制限レジスタＲVLUと制御可能パワースイッチＳとを備える各直列回路は、短絡レジスタＲCRBのいずれか一方へそれぞれ接続される。望ましくは、短絡レジスタＲCRBは相互接続される。図１に示すように、２つの短絡レジスタＲCRBの相互接続点は、具体的にはｄ．ｃ．回路２の電圧ゼロ点ＮＰへ接続される。全体的に、３つの電圧レベルを切り替えるコンバータシステムは非常に簡素で相応じて堅牢な構造である。
【００１８】
図５は、本発明によるコンバータシステムの第２の実施形態を示し、この場合は２つの電圧レベルを切り替えるコンバータシステムである。図５に示すように、電圧制限装置４には制限レジスタＲVLUと制御可能パワースイッチＳとを備える単一の直列回路が設けられ、制限レジスタＲVLUと制御可能パワースイッチＳとを備える直列回路は短絡レジスタＲCRBへ接続される。図５に示すように、ｄ．ｃ．回路２は容量エネルギー蓄積装置を備える。典型的に、図５の電圧制限装置４の機能もまたｄ．ｃ．回路２で過電圧を制限および低減する。この目的を達成するため、制御可能パワースイッチＳだけが閉じられ、電流は制限レジスタＲVLUと短絡レジスタＲCRBに流れ、これによりｄ．ｃ．回路２で過電圧を制限および低減する。全体的に、図５に示す２つの電圧レベルを切り替えるコンバータシステムの構造は極めて簡素であり、非常に堅牢である。例えば過電流に応じて短絡回路３内のサイリスタが作動される場合、電圧制限装置４は、また、前記サイリスタの完全かつ迅速かつ信頼性のあるターンオフのための有利な手段を提供する。図５に示す本発明によるコンバータシステムのオペレーションのための本発明による関連性のある方法は、電圧制限装置４の関連する配置と併せて詳しく後述する。
【００１９】
以下に、一般的には少なくとも３つの電圧レベルを切り替えるコンバータシステムのオペレーションのための本発明による方法を、図１−３を参照して説明する。少なくとも３つの電圧レベルを切り替えるコンバータシステムにおいて、短絡回路には、複数のサイリスタに加えて少なくとも２つの短絡レジスタＲCRBも設けられる。方法によると、コンバータユニット１に流れる電流は閾値に関して監視され、この閾値が超過されると閉信号の印加によって短絡回路３内のサイリスタが、次に、作動され、コンバータユニット１のａ．ｃ．側は少なくとも２つの短絡レジスタＲCRBへ接続される。したがって、少なくとも２つの短絡レジスタＲCRBは、次に、電流が閾値を下回るまで電流のテイクアップ（take-up）を仮定する。本発明によると、電圧制限装置４は少なくとも２つの短絡レジスタＲCRBへ接続され、閾値が超過されなくなると、３つの電圧レベルを切り替えるコンバータシステムの例として図２に図示されているように、コンバータユニット１は前記コンバータユニット１のａ．ｃ．側をｄ．ｃ．回路２の電圧ゼロ点ＮＰへ切り替え、短絡回路３内のサイリスタに対し閉信号は印加されなくなる。短絡レジスタＲCRBを流れる電流は閾値を現在下回っており、コンバータユニット１のインピーダンスは、次に、短絡レジスタＲCRBのそれより低い場合に、コンバータユニット１へ有利に切り替えられる。加えて、電圧制限装置４は、次に、設定可能な期間にわたって少なくとも２つの短絡レジスタＲCRBをｄ．ｃ．回路２へ接続し、短絡レジスタＲCRBの各々はそれぞれの制限レジスタＲVLUを通じてｄ．ｃ．回路２へ接続される。図１に示す３つの電圧レベルを切り替えるコンバータシステムの場合、２つの短絡レジスタＲCRBをｄ．ｃ．回路２へ接続する電圧制限装置４内の制御可能パワースイッチＳは、３つの電圧レベルを切り替えるコンバータシステムの例として図３に図示されているように、設定可能な期間にわたって閉じられる。本発明による方法によって、電圧制限装置４は、ｄ．ｃ．回路２での過電圧に応じて電圧制限または電圧低減の目的のため機能するのではなく、サイリスタスイッチオフ装置として機能する。ただし、当然ながら電圧制限または電圧低減の目的にこれを役立てることもできる。短絡レジスタＲCRBをｄ．ｃ．回路２へ接続する電圧制限装置４上の制御可能パワースイッチＳを閉じることにより、短絡レジスタＲCRBで逆起電力が生成され、これが短絡回路３においてサイリスタの直接的かつ迅速かつ信頼性のあるターンオフを有利に達成する。その後、例えばコンバータユニット１は電気負荷および／またはコンバータユニット１のａ．ｃ．側へ典型的に接続されるａ．ｃ．電力系統に再び供給することによって、コンバータユニット１はｄ．ｃ．回路２の電圧ゼロ点ＮＰからコンバータユニット１のａ．ｃ．側を再び絶縁し、コンバータシステムが平常オペレーションを再開できるようにする。
【００２０】
図５に示す２つの電圧レベルを切り替えるコンバータシステムでも本発明による方法によりコンバータユニット１に流れる電流は閾値に関して監視され、この閾値が超過されると閉信号の印加によりサイリスタが作動され、コンバータユニット１のａ．ｃ．側は短絡レジスタＲCRBへ接続される。短絡レジスタＲCRBは電流が閾値を下回るまで電流のテイクアップ（take-up）を仮定する。本発明によると、閾値が超過されなくなると、コンバータユニット１は前記コンバータユニット１のａ．ｃ．側をｄ．ｃ．回路２の負または正電圧点へ切り替え、サイリスタに対し閉信号は印加されなくなる。短絡レジスタＲCRBを流れる電流は、閾値を現在下回っており、コンバータユニット１のインピーダンスは、次に、短絡レジスタＲCRBのそれより低い場合に、コンバータユニット１へ有利に切り替えられる。加えて、電圧制限装置４は設定可能な期間にわたって短絡レジスタＲCRBをｄ．ｃ．回路２へ接続し、短絡レジスタＲCRBは制限レジスタＲVLUを通じてｄ．ｃ．回路２へ接続される。ｄ．ｃ．回路２への短絡レジスタＲCRBの接続は、制御可能パワースイッチＳ２を前記設定可能な期間にわたり閉じることによって達成される。本発明による方法により、電圧制限装置４は、したがって、ｄ．ｃ．回路２での過電圧に応じて電圧制限または電圧低減の目的のため機能するのではなく、サイリスタスイッチオフ装置として機能する。ただし、当然ながら電圧制限または電圧低減の目的にこれを役立てることもできる。短絡レジスタＲCRBをｄ．ｃ．回路２へ接続する電圧制限装置４上の制御可能パワースイッチＳを閉じることにより、短絡レジスタＲCRBで逆起電力が生成され、これが短絡回路３においてサイリスタの直接的かつ迅速かつ信頼性のあるターンオフを有利に達成する。その後、例えばコンバータユニット１は電気負荷および／またはコンバータユニット１のａ．ｃ．側へ典型的に接続されるａ．ｃ．電力系統に再び供給することによって、コンバータユニット１はｄ．ｃ．回路２の負または正電圧点からコンバータユニット１のａ．ｃ．側を再び絶縁し、コンバータシステムが平常オペレーションを再開できるようにする。
【００２１】
全体的に、少なくとも３つの電圧レベルを切り替えるコンバータシステムのオペレーションのための、および、２つの電圧レベルを切り替えるコンバータシステムのオペレーションのための本発明による方法は、短絡回路３において極めて完全かつ迅速で特に安全なサイリスタのターンオフを可能にし、非常に直接的なコンバータシステムのオペレーションを可能にする。
【００２２】
上述したように、二重給電形非同期機の形式における電気負荷が、急きょ電力供給システムの電圧安定化機能を提供することが必要とされることによって、適用可能なグリッドコードが限界を提供する場合は、コンバータシステムの、特にコンバータユニット１の、平常自動オペレーションを即座に回復することが特定の状況下で必須となる。本発明によるコンバータシステムと、少なくとも３つの電圧レベルを切り替えるコンバータシステムのオペレーションのための、および、２つの電圧レベルを切り替えるコンバータシステムのオペレーションのための本発明による方法とは、詳しく上述したように、コンバータシステムの平常オペレーション中にコンバータシステムの要求オペレーティング性能を維持するためのソリューションを提供する。
【参照記号の一覧】
【００２３】
１…コンバータユニット、２…ｄ．ｃ．回路、３…短絡回路、４…電圧制限装置、ＲCRB…短絡レジスタ、ＲVLU…制限レジスタ、Ｓ…制御可能パワースイッチ、ＮＰ…ｄ．ｃ．回路の電圧ゼロ点。
【図１】
2013533728.tif 000003
【図２】
2013533728.tif 000004
【図３】
2013533728.tif 000005
【図４】
2013533728.tif 000006
【図５】
2013533728.tif 000007
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
コンバータユニット（１）を備える少なくとも３つの電圧レベルを切り替えるコンバータシステムであって、前記コンバータユニット（１）のｄ．ｃ．側はｄ．ｃ．回路（２）へ接続され、前記ｄ．ｃ．回路（２）には電圧ゼロ点（ＮＰ）が設けられ、前記コンバータユニット（１）のａ．ｃ．側は短絡回路（３）へ接続され、前記短絡回路（３）には複数のサイリスタと少なくとも２つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記少なくとも２つの短絡レジスタ（ＲCRB）へ接続され、
前記ｄ．ｃ．回路（２）において任意の過電圧の制限のための、および、サイリスタのターンオフのための電圧制限装置（４）が前記ｄ．ｃ．回路（２）へ接続され、前記電圧制限装置（４）は前記少なくとも２つの短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の前記電圧ゼロ点（ＮＰ）へ切り替え、前記閉信号は印加されなくなり、前記電圧制限装置（４）は設定可能な期間にわたって前記少なくとも２つの短絡レジスタ（ＲCRB）を前記ｄ．ｃ．回路へ接続し、その後、前記コンバータユニット（１）は前記ｄ．ｃ．回路（２）の前記電圧ゼロ点（ＮＰ）から前記コンバータユニット（１）の前記ａ．ｃ．側を再び絶縁することを特徴とする、
コンバータシステム。
【請求項２】
コンバータユニット（１）を備える２つの電圧レベルを切り替えるコンバータシステムであって、前記コンバータユニット（１）のｄ．ｃ．側はｄ．ｃ．回路（２）へ接続され、前記コンバータユニット（１）のａ．ｃ．側は短絡回路（３）へ接続され、前記短絡回路（３）には複数のサイリスタと１つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記短絡レジスタ（ＲCRB）へ接続され、
前記ｄ．ｃ．回路（２）において任意の過電圧の制限のための、および、サイリスタのターンオフのための電圧制限装置（４）が前記ｄ．ｃ．回路（２）へ接続され、前記電圧制限装置（４）は前記短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の負または正電圧点へ切り替え、前記閉信号は印加されなくなり、前記電圧制限装置（４）は設定可能な期間にわたって前記短絡レジスタ（ＲCRB）を前記ｄ．ｃ．回路（２）へ接続し、その後、前記コンバータユニット（１）は前記ｄ．ｃ．回路（２）の前記正または負電圧点から前記コンバータユニット（１）の前記ａ．ｃ．側を再び絶縁することを特徴とする、
コンバータシステム。
【請求項３】
３つの電圧レベルを切り替えるコンバータシステムの場合、前記電圧制限装置（４）には制限レジスタ（ＲVLU）と制御可能パワースイッチ（Ｓ）とを各々備える２つの直列回路が設けられ、前記短絡回路（３）には２つの短絡レジスタ（ＲCRB）が設けられ、前記制限レジスタ（ＲVLU）と前記制御可能パワースイッチ（Ｓ）とを備える各直列回路は前記短絡レジスタ（ＲCRB）のいずれか一方へそれぞれ接続されることを特徴とする請求項１に記載のコンバータシステム。
【請求項４】
前記短絡レジスタ（ＲCRB）は相互接続されることを特徴とする請求項３に記載のコンバータシステム。
【請求項５】
２つの電圧レベルを切り替えるコンバータシステムの場合、前記電圧制限装置（４）には制限レジスタ（ＲVLU）と制御可能パワースイッチ（Ｓ）とを備える直列回路が設けられ、前記制限レジスタ（ＲVLU）と前記制御可能パワースイッチ（Ｓ）とを備える前記直列回路は前記短絡レジスタ（ＲCRB）へ接続されることを特徴とする請求項２に記載のコンバータシステム。
【請求項６】
少なくとも３つの電圧レベルを切り替えるコンバータシステムを操作する方法であって、前記コンバータシステムにはコンバータユニット（１）が設けられ、前記コンバータユニット（１）のｄ．ｃ．側はｄ．ｃ．回路（２）へ接続され、前記ｄ．ｃ．回路（２）には電圧ゼロ点（ＮＰ）が設けられ、前記コンバータユニット（１）のａ．ｃ．側は短絡回路（３）へ接続され、前記短絡回路（３）には複数のサイリスタと少なくとも２つの短絡レジスタ（ＲCRB）が設けられ、
前記コンバータユニット（１）によって搬送される電流は閾値に関して監視され、この閾値が超過されると閉信号の印加によって前記サイリスタが作動され、前記コンバータユニット（１）の前記ａ．ｃ．側は前記少なくとも２つの短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記少なくとも２つの短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の前記電圧ゼロ点（ＮＰ）へ切り替え、前記閉信号は印加されなくなり、
前記電圧制限装置（４）は設定可能な期間にわたって前記少なくとも２つの短絡レジスタ（ＲCRB）を前記ｄ．ｃ．回路（２）へ接続し、
その後、前記コンバータユニット（１）は前記ｄ．ｃ．回路（２）の前記電圧ゼロ点（ＮＰ）から前記コンバータユニット（１）の前記ａ．ｃ．側を再び絶縁することを特徴とする、
方法。
【請求項７】
２つの電圧レベルを切り替えるコンバータシステムのオペレーションのための方法であって、前記コンバータシステムにはコンバータユニット（１）が設けられ、前記コンバータユニット（１）のｄ．ｃ．側はｄ．ｃ．回路（２）へ接続され、前記コンバータユニット（１）のａ．ｃ．側は短絡回路（３）へ接続され、前記短絡回路（３）には複数のサイリスタと１つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記短絡レジスタ（ＲCRB）へ接続され、
前記ｄ．ｃ．回路（２）において過電圧を制限する電圧制限装置（４）が前記ｄ．ｃ．回路（２）へ接続され、前記電圧制限装置（４）は前記短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の負または正電圧点へ切り替え、前記閉信号は印加されなくなり、
前記電圧制限装置（４）は設定可能な期間にわたって前記短絡レジスタ（ＲCRB）を前記ｄ．ｃ．回路（２）へ接続し、
その後、前記コンバータユニット（１）は前記ｄ．ｃ．回路（２）の前記負または正電圧点から前記コンバータユニット（１）の前記ａ．ｃ．側を再び絶縁することを特徴とする、
方法。
【請求項８】
３つの電圧レベルを切り替えるコンバータシステムの場合、前記電圧制限装置（４）には制限レジスタ（ＲVLU）と制御可能パワースイッチ（Ｓ）とを各々備える２つの直列回路が設けられ、前記短絡回路（３）には２つの短絡レジスタ（ＲCRB）が設けられ、前記制限レジスタ（ＲVLU）と前記制御可能パワースイッチ（Ｓ）とを備える各直列回路は前記短絡レジスタ（ＲCRB）のいずれか一方へそれぞれ接続され、前記短絡レジスタ（ＲCRB）は相互接続され、前記２つの短絡レジスタ（ＲCRB）を前記ｄ．ｃ．回路（２）に接続する前記電圧制限装置（４）上の前記制御可能パワースイッチ（Ｓ）は前記設定可能な期間にわたって閉じられることを特徴とする請求項６に記載の方法。
【請求項９】
前記電圧制限装置（４）には制限レジスタ（ＲVLU）と制御可能パワースイッチ（Ｓ）とを備える直列回路が設けられ、前記制限レジスタ（ＲVLU）と前記制御可能パワースイッチ（Ｓ）とを備える前記直列は前記短絡レジスタ（ＲCRB）へ接続され、前記短絡レジスタ（ＲCRB）を前記ｄ．ｃ．回路（２）へ接続する前記電圧制限装置（４）上の前記制御可能パワースイッチ（Ｓ）は前記設定可能な期間にわたって閉じられることを特徴とする請求項７に記載の方法。
【手続補正２】
【補正対象書類名】明細書
【補正対象項目名】００２２
【補正方法】変更
【補正の内容】
【００２２】
上述したように、二重給電形非同期機の形式における電気負荷が、急きょ電力供給システムの電圧安定化機能を提供することが必要とされることによって、適用可能なグリッドコードが限界を提供する場合は、コンバータシステムの、特にコンバータユニット１の、平常自動オペレーションを即座に回復することが特定の状況下で必須となる。本発明によるコンバータシステムと、少なくとも３つの電圧レベルを切り替えるコンバータシステムのオペレーションのための、および、２つの電圧レベルを切り替えるコンバータシステムのオペレーションのための本発明による方法とは、詳しく上述したように、コンバータシステムの平常オペレーション中にコンバータシステムの要求オペレーティング性能を維持するためのソリューションを提供する。
以下に、本願出願の当初の特許請求の範囲に記載された発明を付記する。
［１］
コンバータユニット（１）を備える少なくとも３つの電圧レベルを切り替えるコンバータシステムであって、前記コンバータユニット（１）のｄ．ｃ．側はｄ．ｃ．回路（２）へ接続され、前記ｄ．ｃ．回路（２）には電圧ゼロ点（ＮＰ）が設けられ、前記コンバータユニット（１）のａ．ｃ．側は短絡回路（３）へ接続され、前記短絡回路（３）には複数のサイリスタと少なくとも２つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記少なくとも２つの短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記少なくとも２つの短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の前記電圧ゼロ点（ＮＰ）へ切り替え、前記閉信号は印加されなくなり、前記電圧制限装置（４）は設定可能な期間にわたって前記少なくとも２つの短絡レジスタ（ＲCRB）を前記ｄ．ｃ．回路（２）へ接続し、その後、前記コンバータユニット（１）は前記ｄ．ｃ．回路（２）の前記電圧ゼロ点（ＮＰ）から前記コンバータユニット（１）の前記ａ．ｃ．側を再び絶縁することを特徴とする、
コンバータシステム。
［２］
コンバータユニット（１）を備える２つの電圧レベルを切り替えるコンバータシステムであって、前記コンバータユニット（１）のｄ．ｃ．側はｄ．ｃ．回路（２）へ接続され、前記コンバータユニット（１）のａ．ｃ．側は短絡回路（３）へ接続され、前記短絡回路（３）には複数のサイリスタと１つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の負または正電圧点へ切り替え、前記閉信号は印加されなくなり、前記電圧制限装置（４）は設定可能な期間にわたって前記短絡レジスタ（ＲCRB）を前記ｄ．ｃ．回路（２）へ接続し、その後、前記コンバータユニット（１）は前記ｄ．ｃ．回路（２）の前記負または正電圧点から前記コンバータユニット（１）の前記ａ．ｃ．側を再び絶縁することを特徴とする、
コンバータシステム。
［３］
３つの電圧レベルを切り替えるコンバータシステムの場合、前記電圧制限装置（４）には制限レジスタ（ＲVLU）と制御可能パワースイッチ（Ｓ）とを各々備える２つの直列回路が設けられ、前記短絡回路（３）には２つの短絡レジスタ（ＲCRB）が設けられ、前記制限レジスタ（ＲVLU）と前記制御可能パワースイッチ（Ｓ）とを備える各直列回路は前記短絡レジスタ（ＲCRB）のいずれか一方へそれぞれ接続されることを特徴とする［１］のコンバータシステム。
［４］
前記短絡レジスタ（ＲCRB）は相互接続されることを特徴とする［３］のコンバータシステム。
［５］
２つの電圧レベルを切り替えるコンバータシステムの場合、前記電圧制限装置（４）には制限レジスタ（ＲVLU）と制御可能パワースイッチ（Ｓ）とを備える単一の直列回路が設けられ、前記制限レジスタ（ＲVLU）と前記制御可能パワースイッチ（Ｓ）とを備える前記直列回路は前記短絡レジスタ（ＲCRB）へ接続されることを特徴とする［２］のコンバータシステム。
［６］
少なくとも３つの電圧レベルを切り替えるコンバータシステムを操作する方法であって、前記コンバータシステムにはコンバータユニット（１）が設けられ、前記コンバータユニット（１）のｄ．ｃ．側はｄ．ｃ．回路（２）へ接続され、前記ｄ．ｃ．回路（２）には電圧ゼロ点（ＮＰ）が設けられ、前記コンバータユニット（１）のａ．ｃ．側は短絡回路（３）へ接続され、前記短絡回路（３）には複数のサイリスタと少なくとも２つの短絡レジスタ（ＲCRB）が設けられ、
前記コンバータユニット（１）によって搬送される電流は閾値に関して監視され、この閾値が超過されると閉信号の印加によって前記サイリスタが作動され、前記コンバータユニット（１）の前記ａ．ｃ．側は前記少なくとも２つの短絡レジスタ（ＲCRB）へ接続され、
前記ｄ．ｃ．回路（２）において任意の過電圧を制限する電圧制限装置（４）が前記ｄ．ｃ．回路（２）へ接続され、前記電圧制限装置（４）は前記少なくとも２つの短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の前記電圧ゼロ点（ＮＰ）へ切り替え、前記閉信号は印加されなくなり、
前記電圧制限装置（４）は設定可能な期間にわたって前記少なくとも２つの短絡レジスタ（ＲCRB）を前記ｄ．ｃ．回路（２）へ接続し、
その後、前記コンバータユニット（１）は前記ｄ．ｃ．回路（２）の前記電圧ゼロ点（ＮＰ）から前記コンバータユニット（１）の前記ａ．ｃ．側を再び絶縁することを特徴とする、
方法。
［７］
２つの電圧レベルを切り替えるコンバータシステムのオペレーションのための方法であって、前記コンバータシステムにはコンバータユニット（１）が設けられ、前記コンバータユニット（１）のｄ．ｃ．側はｄ．ｃ．回路（２）へ接続され、前記コンバータユニット（１）のａ．ｃ．側は短絡回路（３）へ接続され、前記短絡回路（３）には複数のサイリスタと１つの短絡レジスタ（ＲCRB）が設けられ、前記コンバータユニット（１）によって搬送される電流は閾値に関して監視され、この閾値が超過されると閉信号の印加によって前記サイリスタが作動され、前記コンバータユニット（１）の前記ａ．ｃ．側は前記短絡レジスタ（ＲCRB）へ接続され、
前記ｄ．ｃ．回路（２）において過電圧を制限する電圧制限装置（４）が前記ｄ．ｃ．回路（２）へ接続され、前記電圧制限装置（４）は前記短絡レジスタ（ＲCRB）へ接続され、前記閾値が超過されなくなると、前記コンバータユニット（１）は前記コンバータユニット（１）の前記ａ．ｃ．側を前記ｄ．ｃ．回路（２）の負または正電圧点へ切り替え、前記閉信号は印加されなくなり、
前記電圧制限装置（４）は設定可能な期間にわたって前記短絡レジスタ（ＲCRB）を前記ｄ．ｃ．回路（２）へ接続し、
その後、前記コンバータユニット（１）は前記ｄ．ｃ．回路（２）の前記負または正電圧点から前記コンバータユニット（１）の前記ａ．ｃ．側を再び絶縁することを特徴とする、
方法。
［８］
３つの電圧レベルを切り替えるコンバータシステムの場合、前記電圧制限装置（４）には制限レジスタ（ＲVLU）と制御可能パワースイッチ（Ｓ）とを各々備える２つの直列回路が設けられ、前記短絡回路（３）には２つの短絡レジスタ（ＲCRB）が設けられ、前記制限レジスタ（ＲVLU）と前記制御可能パワースイッチ（Ｓ）とを備える各直列回路は前記短絡レジスタ（ＲCRB）のいずれか一方へそれぞれ接続され、前記短絡レジスタ（ＲCRB）は相互接続され、前記２つの短絡レジスタ（ＲCRB）を前記ｄ．ｃ．回路（２）に接続する前記電圧制限装置（４）上の前記制御可能パワースイッチ（Ｓ）は前記設定可能な期間にわたって閉じられることを特徴とする［６］の方法。
［９］
前記電圧制限装置（４）には制限レジスタ（ＲVLU）と制御可能パワースイッチ（Ｓ）とを備える直列回路が設けられ、前記制限レジスタ（ＲVLU）と前記制御可能パワースイッチ（Ｓ）とを備える前記直列は前記短絡レジスタ（ＲCRB）へ接続され、前記短絡レジスタ（ＲCRB）を前記ｄ．ｃ．回路（２）へ接続する前記電圧制限装置（４）上の前記制御可能パワースイッチ（Ｓ）は前記設定可能な期間にわたって閉じられることを特徴とする［７］の方法。
【国際調査報告】
2013533728.tif 000008
2013533728.tif 000009
2013533728.tif 000010
2013533728.tif 000011
2013533728.tif 000012
2013533728.tif 000013